(57)【特許請求の範囲】
【請求項１】
容器本体の口部に装着するキャップ本体と、ヒンジを介してキャップ本体と連設された上蓋とからなるヒンジキャップであって、
上蓋の頂壁の裏面には、閉蓋時にキャップ本体の注出筒の内周に嵌合して注出口を密閉する封止筒を設け、
封止筒の内側には、頂壁裏面から突出する複数の液回収リブが、ヒンジと反対側の末端で互いに間隔を隔てて広がって配置され、ヒンジ側に向かって互いの間隔を狭めつつ封止筒内周に集束して連設し、
液回収リブの突出高さは、末端で低く、ヒンジ側の集束部位に向けて高くなり、
液回収リブが集束して連設する封止筒内周面には、内方に突出する縦リブが設けられていることを特徴とする液回収リブ付きヒンジキャップ。
【請求項２】
液回収リブの突出高さは、中心位置にある中央のリブが最も高く、中心から離れるほど低くなっていることを特徴とする請求項１記載の液回収リブ付きヒンジキャップ。
【請求項３】
液回収リブの末端は、少なくとも封止筒の中心よりヒンジと反対側領域まで延びていることを特徴とする請求項１または２記載の液回収リブ付きヒンジキャップ。
【請求項４】
封止筒のヒンジ側には、液回収リブが集束して連設する部位を略中央位置とする所定円弧範囲にわたって、液回収リブないし縦リブのいずれよりも下方で内側に突出する舌片を設けたことを特徴とする請求項１〜３のいずれかに記載の液回収リブ付きヒンジキャップ。
【発明の詳細な説明】
【技術分野】
【０００１】
本発明は、容器の口部に装着され、ヒンジを介して連設された上蓋が注出口を開閉するヒンジキャップに関し、とくに上蓋裏面に付着した液を回収するリブを設けて液だれを防止したヒンジキャップに関するものである。
【背景技術】
【０００２】
容器の口部に装着するキャップ本体と上蓋とをヒンジで連結したヒンジキャップは、上蓋を回動するだけで開閉することができ、上蓋を紛失することもないため、キャップとして広く使用されている。
しかしながら、ドレッシングなどのように容器を振って攪拌して使用する内容液を収容する場合には、攪拌した内容液が上蓋の頂壁裏面に付着し、上蓋を開閉する際に、付着した液が流れ出してキャップ周辺や容器本体を汚すという問題があった。
【０００３】
このような上蓋開閉時の液だれを防止するために、キャップ本体１の注出筒８に嵌合する蓋体１３の裏面に、内容液を付着保持可能な間隔をもって突設された複数の液留め片１７を設けたものが従来より知られている（例えば、特許文献１参照）。  
【先行技術文献】
【特許文献】
【０００４】
【特許文献１】特開２００１−１０６２５１号公報
【発明の概要】
【発明が解決しようとする課題】
【０００５】
しかしながら、上記特許文献１記載の複数の液留め片の相互間に保持された液は、閉蓋時の衝撃で落下するか、液留め片の先端が注出筒などのキャップ本体の一部に接触した部分から流下するだけなので、表面張力や粘性の大きい内容液の場合は液留め片相互の間隙に留まったまま容器内に回収されず、不衛生で見た目にも良くなかった。
逆に、表面張力や粘性が小さい内容液の場合は、付着した液を間隙に保持する力が弱く、開閉動作の衝撃が大きいと液だれしてしまうことがあった。
【０００６】
本発明は、上記問題を解決することを課題とし、上蓋裏面の密封筒内側に付着した液を効率よく容器本体内に回収して液だれを防ぎ、キャップ周辺を清潔に保つことができるヒンジキャップを提供することを目的とする。
【課題を解決するための手段】
【０００７】
本発明は、上記の課題を解決するため、液回収リブ付きヒンジキャップとして、容器本体の口部に装着するキャップ本体と、ヒンジを介してキャップ本体と連設された上蓋とからなるヒンジキャップであって、上蓋の頂壁の裏面には、閉蓋時にキャップ本体の注出筒の内周に嵌合して注出口を密閉する封止筒を設け、封止筒の内側には、頂壁裏面から突出する複数の液回収リブが、ヒンジと反対側の末端で互いに間隔を隔てて広がって配置され、ヒンジ側に向かって互いの間隔を狭めつつ封止筒内周に集束して連設し、液回収リブの突出高さは、末端で低く、ヒンジ側の集束部位に向けて高くなり、液回収リブが集束して連設する封止筒内周面には、内方に突出する縦リブが設けられていることを特徴とする構成を採用する。
【０００８】
液回収リブの実施形態として、液回収リブの突出高さは、中心位置にある中央のリブが最も高く、中心から離れるほど低くなっていることを特徴とする構成、また、液回収リブの末端は、少なくとも封止筒の中心よりヒンジと反対側領域まで延びていることを特徴とする構成を採用する。
【０００９】
液回収リブ付きヒンジキャップの別実施形態として、封止筒のヒンジ側には、液回収リブが集束して連設する部位を略中央位置とする所定円弧範囲にわたって、液回収リブないし縦リブのいずれよりも下方で内側に突出する舌片を設けたことを特徴とする構成を採用する。
【発明の効果】
【００１０】
本願発明の液回収リブ付きヒンジキャップは、上蓋の封止筒の内側で頂壁裏面から突出する複数の液回収リブが、互いに間隔を隔てて配置されたヒンジと反対側の末端から、ヒンジ側に向かって互いの間隔を狭めつつ封止筒内周に集束して連設しているから、頂壁裏面に付着した液は、裏面から突出する液回収リブに導かれるとともに、リブ相互の間隔が次第に狭まるにしたがって表面積が大きくなり表面張力が強くなるので、間隔が狭まる集束部位に吸い寄せられ、リブが集束して表面積が小さくなった連設部位で注出筒内周を流下して容器本体内に回収され、効率よく内容液を回収することができる。
【００１１】
液回収リブは、ヒンジ側の集束部位に向けて突出高さを高くすることで、リブの末端から集束部位への液の流下を促し、集束部位への液の吸引力をより高めることができる。
また、封止筒の液回収リブが集束して連設する部位を略中央位置とする所定円弧範囲にわたって内側に突出する舌片を設けることにより、開閉時に上蓋を傾けたとき、封止筒内周を流下する付着液を一時的に舌片上で受けることができ、液だれを確実に防ぐことができる。
【図面の簡単な説明】
【００１２】
【図１】本発明の液回収リブ付きヒンジキャップの閉蓋状態を示す断面側面図である。
【図２】本発明の液回収リブ付きヒンジキャップの開蓋状態を示す断面側面図であり、要部Ｅ，Ｆは一部拡大図である。
【図３】本発明の液回収リブ付きヒンジキャップの開蓋状態を示す図であり、（ａ）は上面図、（ｂ）は下面図である。
【図４】図３（ａ）の要部Ｇの拡大図である。
【図５】本発明の液回収リブ付きヒンジキャップの一部断面図であり、（ａ）は図２および図３（ａ）のＰ−Ｐ断面図、（ｂ）は同Ｓ−Ｓ断面図である。
【発明を実施するための形態】
【００１３】
次に、本発明の液回収リブ付きヒンジキャップについて、実施例を示した図面を参照して説明する。
【実施例】
【００１４】
図１〜３において、Ａはキャップ本体、ＢはヒンジＣによってキャップ本体Ａに連設された上蓋、Ｄは容器本体である。
本実施例の液回収リブ付きヒンジキャップは、図１，２に示されるように、従来のものよりキャップ全体が薄肉に成形されている。
【００１５】
図１〜３に示すように、キャップ本体Ａは、容器本体Ｄ内を密封する隔壁５と、隔壁５の周縁に連設して立設された注出筒６と、同じく隔壁５の周縁に連設して垂下し、容器本体Ｄの口部１の内周に嵌合する内筒７と、注出筒６の下端部および内筒７の上端部に連設し、周縁で口部１の外周に嵌合する外筒８に連設する基壁９と、基壁９上に立設され上蓋Ｂに係合して閉蓋状態を保つ環状の蓋係合部１０とからなっている。
【００１６】
隔壁５には、破断可能な薄肉弱化部１４が設けられ、薄肉弱化部１４は、破断されたときに注出口を形成する除去部１５を画成している。
除去部１５のヒンジＣ側には、支柱１６を介してプルリング１７が連設され、プルリング１７のヒンジＣと反対側の下部には、指先への接圧をやわらかくするための緩衝部１８が形成されている。
本実施例では、緩衝部１８は、プルリング１７を指に掛けた際、外側（ヒンジと反対側）へ屈曲が容易な薄肉の板状をなしている。
【００１７】
図２に要部Ｅとして示されるように、薄肉弱化部１４に隣接する除去部１５の周縁上面には、支柱１６周辺付近を除いて上突起１９が形成され、除去部１５の周縁を肉厚にして除去部１５を切り取りやすくしている。
また、除去部１５は、支柱１６が連設するヒンジＣ側端部から幅が狭いくびれ部２１を経由して、ヒンジＣと反対側に幅が広い主開口部２２が形成され、くびれ部２１付近には、図４（ａ）に示すように、下面に下突起２３が設けられ、くびれ部２１における破断を防止するための肉厚補強部を形成している。
【００１８】
外筒８の内周には、容器本体Ｄの口部１直下のくびれ凹部２に嵌合する環状の嵌合突条２５が形成され、内筒７の外周面と外筒８の内周面、および基壁９の下面と嵌合突条２５によって形成される環状溝部に口部１を嵌合するようになっている。
嵌合突条２５は、通常よりも軸方向の幅が小さく比較的薄肉に形成されているので、周方向複数個所で軸方向下方に延びる補強支持部２６が一体に設けられ、口部１との嵌合強度を確保できるように補強されている。
また、外筒８の外周上部の所定範囲にわたって連設されたヒンジＣによって上蓋Ｂが連設され、ヒンジＣの近傍位置の外周には、容器本体Ｄに装着する際の周方向の位置決めを行う位置合わせリブ２７が一個所突設されている。
【００１９】
図３に示すように、注出筒６の内周は、平面視でキャップ本体Ａと上蓋Ｂとの共通する中心線Ｘ−Ｘ方向に長径の略長円形状をなし、該共通中心線Ｘ−Ｘに直交する方向（短径方向）の幅は、中心よりややヒンジＣの反対側でもっとも幅が広くなっている。
注出筒６の上端には湾曲部２８が形成され、ヒンジＣ側よりヒンジＣの反対側がやや高くなって注出側流路面を形成している。
基壁９上面に立設された蓋係合部１０は略筒状をなし、上端部には、上蓋Ｂに係合する膨出部２９が外方に突出して設けられている。
【００２０】
図１〜３に示すように、上蓋Ｂは、頂壁３１と、頂壁３１の周縁に垂設された側周壁３２とからなり、頂壁３１の裏面には、キャップ本体Ａの注出筒６の内周に嵌入する封止筒３３が垂設されている。
図３（ａ）に示すように、封止筒３３の内側には、頂壁３１の裏面から突出する複数の液回収リブ３５（３５ａ，３５ｂ，…３５ｅ）が設けられ、それぞれの液回収リブ３５は、図４（ｂ）に示すように、断面が所定の高さを有する壁面形状をなしており、ヒンジＣと反対側の末端３６で互いに間隔を隔てて広がって配置され、ヒンジＣ側に向かって互いの間隔を狭めつつ、それぞれの基部が集束して封止筒３３の内周面に連設している。
【００２１】
液回収リブ３５は、封止筒３３内の頂壁３１の裏面にほぼ均一に分布するように、ヒンジＣ側の基部からほぼ均等な間隔で広がり、その末端３６は、少なくとも封止筒３３の中心よりヒンジＣと反対側の領域まで延びている。
液回収リブ３５のそれぞれの突出高さは、末端３６で低く、ヒンジ側の基部に向けて漸次高くなるようになっているとともに、キャップ本体Ａと上蓋Ｂとの共通する中心線Ｘ−Ｘに一致する、または最も近い中央リブ３５ｃが最も高く、該中心線から離れるほど低く、すなわち中間リブ３５ｂ、３５ｄより周辺リブ３５ａ，３５ｅの方が低くなっている。
図３（ａ）に示すように、各液回収リブ３５の基部では、中央リブ３５ｃに近い順に、すなわち、まず中間リブ３５ｂ、３５ｄが中央リブ３５ｃに集束し、次に周辺リブ３５ａ，３５ｅが中央リブ３５ｃに集束して、中央リブ３５ｃの基部が、封止筒３３の内周面に突設された縦リブ３７に連設している。
なお、本実施例では、液回収リブ３５は５本設けられているが、その本数は内容液の表面張力や粘性などの性状により、適宜決定できる。
また、液回収リブ３５の具体的形状や高さ、肉厚、および延びる領域等については、本実施例に限定されず、縦リブ３７も必ずしも必要ではない。
【００２２】
図２に示されるように、封止筒３３の下端３８の頂壁３１裏面からの突出高さは、ヒンジＣの反対側からヒンジＣ側に向けて高くなっており、下端３８のヒンジＣ側には、液回収リブ３５が集束して連設する縦リブ３７を中央位置とする所定円弧範囲にわたって内側に突出する舌片３９が設けられている。
本実施例では、舌片３９は封止筒３３の下端３８に設けられているが、必ずしも下端３８に設けられなくてもよく、液回収リブ３５より下方であれば中間部位に設けられてもよい。
【００２３】
側周壁３２のヒンジＣと反対側の外周には、上蓋Ｂを開閉する際に手指をかける摘み部４０が突設されている。
図３（ａ）に示すように、摘み部４０は、下端に手指をかけるための指かけ突部４１を有する外枠４２と、外枠４２と側周壁３２との間に設けられた肉抜き部４３と、肉抜き部４３の複数個所に設けられ外枠４２と側周壁３２との間を連結する補強リブ４４とからなっている。
側周壁３２の内周には、ヒンジＣ側と摘み部４０側との中間部位に、キャップ本体Ａの蓋係合部１０の膨出部２９に係合する係合突部４５が、それぞれ所定円弧範囲にわたって突設されている。
【００２４】
次に、本実施例の使用態様と作用効果について説明する。
本実施例のキャップは、図１に示す閉蓋状態で容器本体Ｄの口部１に打栓して装着される。
打栓工程は、内筒７と外筒８との間に形成される環状溝に容器本体Ｄの口部１をあてがい、上蓋Ｂの上から押圧力が加えられ、外筒８の嵌合突条２が口部１を乗り越えてくびれ凹部２に嵌合し、口部１が、内筒７の外周と外筒８の内周、および基壁９と嵌合突条２５とによって挟持され装着される。
【００２５】
その際、容器本体Ｄに対するキャップ本体Ａの注出方向を位置決めする必要がある場合は、外筒８の外周に設けられた位置合わせリブ２７を容器本体Ｄの所定個所（図示せず）に一致させることによって位置決めを行う。
本実施例のキャップは全体として薄肉に形成されているが、嵌合突条２５には補強支持部２６が設けられているので、外筒８が薄肉であっても嵌合強度を保つことができる。
【００２６】
本実施例のキャップを容器使用時に抜栓するには、図２に示すように上蓋Ｂを開き、プルリング１７を上方に引っ張って、支柱１６を介して隔壁５の除去部１５を引き上げ、薄肉弱化部１４を切断して隔壁５から除去部１５を切り離して注出口を開口する。
プルリング１７のヒンジＣと反対側の下部には、薄板状の緩衝部１８を設けているので、手指が当たると緩衝部１８が容易に屈曲して、手指への接圧をやわらかくすることができる。
【００２７】
プルリング１７を引き上げる際、薄肉弱化部１４に隣接する除去部１５の周縁は、支柱周辺を除いて上突起１９により肉厚に形成されているので、薄肉弱化部１４における破断部が曲がったり、延びてひげが発生したりすることを防止することができ、除去部１５を容易に切り取ることができる。
また、除去部１５のくびれ部２１は、下突起２３により肉厚に形成されて補強されているので、除去部１５全体を薄肉としても、プルリング１７を引き上げている途中で破断してしまうようなことがない。
【００２８】
容器本体Ｄに収容されている内容液が、ドレッシングなど使用前に容器を振って攪拌するものであれば、除去部１５を隔壁５から切り離して注出口を開口した後、一旦上蓋Ｂを閉めて容器を振ってから、改めて上蓋Ｂを開き容器を傾けて内容液を注出する。
上蓋Ｂを閉めると、上蓋Ｂの頂壁３１裏面に垂設された封止筒３３が注出筒６の内周面に嵌入して容器内を密閉するとともに、側周壁３２の内周面に設けられた係合突部４５が、蓋係合部１０の膨出部２９を乗り越えて膨出部２９の下部に係合して閉蓋状態を保持する。
上蓋Ｂを開閉する際、手指をかける摘み部４０は、肉抜き部４３により薄肉に形成されているが、補強リブ４４により十分な強度が確保されている。
【００２９】
容器を振ったときに攪拌された内容液は、注出口から流出して頂壁３１裏面の封止筒３３の内側にも付着する。
付着した液は、頂壁３１の裏面から突出する複数の液回収リブ３５（３５ａ，３５ｂ，…３５ｅ）に導かれつつ流下し、各液回収リブ３５の相互の間隔が次第に狭まるにしたがって表面積密度が大きくなり表面張力が強くなるので、液回収リブ３５のそれぞれの基部に向かって吸い寄せられていく。
中間リブ３５ｂ、３５ｄおよび周辺リブ３５ａ，３５ｅは、それぞれの基部で中央リブ３５ｃに集束して表面積を小さくしながら封止筒３３の内周の縦リブ３７に連設しているので、各液回収リブ３５に沿って流下してきた液は、速やかに中央リブ３５ｃから縦リブ３７へと流下して容器本体Ｄ内に回収される。
【００３０】
この際、各液回収リブ３５の突出高さは、ヒンジＣと反対側の末端３６で低く、ヒンジＣ側の各基部の集束部位に向けて高くなっているので、各液回収リブ３５に付着した液は各基部への流下を促され、集束部位付近への吸引力も高められて、効率よく内容液を回収することができる。
また、中央リブ３５ｃの突出高さを中間リブ３５ｂ、３５ｄ、周辺リブ３５ａ，３５ｅより高くすることによって、付着した液が、背の低い中間リブ３５ｂ、３５ｄ、周辺リブ３５ａ，３５ｅから背の高い中央リブ３５ｃへと流下して導かれ、さらに封止筒３３内周の縦リブ３７へ流下しやすくすることができる。
【００３１】
さらに、封止筒３３の下端３８には、液回収リブ３５が集束して連設する縦リブ３７付近を中央位置とする所定円弧範囲にわたって内側に突出する舌片３９が設けられているので、開閉時に上蓋Ｂを傾けたとき、封止筒３３の内周面を流下する液を一時的に舌片３９上で受けることができ、舌片３９に溜められた液は閉蓋時に注出筒６内を通って容器内に回収されるから、液だれを確実に防ぐことができる。
舌片３９は封止筒３３の下端３８に設けられているが、必ずしも下端でなくともよく、縦リブ３７より下方の中間部位に設けられてもかまわない。
【００３２】
本実施例では、除去部１５を補強する上突起１９、下突起２３、外筒８の嵌合突条２５を補強する補強支持部２６、摘み部４０の肉抜き部４３を補強する補強リブ４４などを設ける工夫により、キャップ全体をより薄肉にすることができている。
なお、注出筒６や蓋係合部１０、注出口を形成する除去部１５などの形状は、本実施例に示したものに限定されるものではなく、必要に応じて、種々の形状を採用することができる。
【産業上の利用可能性】
【００３３】
本発明のヒンジキャップは、上蓋裏面に付着した液を複数の液回収リブに導いて容器内に流下させ効率よく回収することができ、液だれを確実に防ぐことができるから、液を充填する容器のヒンジキャップとして広く利用することができる。
とくに、ドレッシングや各種のたれ、つゆなどの容器を振って攪拌して使用する内容液を収納する容器のヒンジキャップに利用して好適である。
【符号の説明】
【００３４】
Ａ        キャップ本体
Ｂ        上蓋
Ｃ        ヒンジ
Ｄ        容器本体
１        口部
２        くびれ凹部
５        隔壁
６        注出筒
７        内筒
８        外筒
９        基壁
１０        蓋係合部
１４        薄肉弱化部
１５        除去部
１６        支柱
１７        プルリング
１８        緩衝部
１９        上突起
２１        くびれ部
２２        主開口部
２３        下突起
２５        嵌合突条
２６        補強支持部
２７        位置合わせリブ
２８        湾曲部
２９        膨出部
３１        頂壁
３２        側周壁
３３        封止筒
３５        液回収リブ
３６        末端
３７        縦リブ
３８        下端
３９        舌片
４０        摘み部
４１        指かけ突部
４２        外枠
４３        肉抜き部
４４        補強リブ
４５        係合突部
【図１】
0005885593.tif 000002
【図２】
0005885593.tif 000003
【図３】
0005885593.tif 000004
【図４】
0005885593.tif 000005
【図５】
0005885593.tif 000006